(57)【要約】【課題】  紫色の花と良好な植物構造を持つ新しい蘭の品種「青山６０１」の提供。【解決手段】 「青山６０１」と名づけられた新しい独特のドリテノプシス蘭植物体の品種は、魅力的な長楕円形の葉、褐色の茎、派手な紫色と白い縁取りの花、大きな深緑色の葉、自由開花する総状花序当たり１１〜１５輪の花と花芽、優れた花の寿命、経済的な組織培養による繁殖、という特徴を持つ。【選択図】   図１
2009284815.tif 000002
【特許請求の範囲】
【請求項１】
「青山６０１」という名のドリテノプシス蘭であって、母株であるＳｕｎｒｉｓｅ Ｈｏｌｏｂｉｒｄのベルベット状の極濃暗赤色花と父株であるＴａｉｓｕｃｏ Ｆｉｒｅｂｉｒｄの光沢のある赤色花の親同士交雑を利用して受粉し、子房形成された後、種子の繁殖を進め、まず子房を消毒し、並びに、子房内の種子を取り出し、０．６％の次亜塩素酸ナトリウム溶液瓶の中に入れて再度消毒し、更に無菌水で種子を洗浄してから種子の水溶液（１〜２ｍｌ）を吸い取って蘭の播種用培地内に入れて播種し、種子を発芽させ、マザーフラスコ内で葉と根を伸ばさせ、次に、マザーフラスコから培養ビン内に移植し培養苗として育成し、培養苗が更に大きく育った時小フラスコに移植して幼苗にまで生長させ、また、順化培養を経ることで、フラスコ苗となることができ、更にフラスコ苗を取り出し水苔という植え込み材料の鉢内に植え、何度も鉢替えを経た後で、蘭苗が成熟状態に達して、成株となると、蘭苗を低温状態（開花温室）に置いて、蘭苗を抽台期に入るよう刺激することで、開花促進効果を達成して開花株となり、前述の育成方法で多くの新個体の苗が生産繁殖し、その中から最も優良な苗の個体を選抜して、無性繁殖を行い、花柄部位の高芽を取り大量に同じ個体の蘭苗を増殖させることで、生じた新個体が完全に親個体と同じになることができることを特徴とする、「青山６０１」という名のドリテノプシス蘭。
【発明の詳細な説明】
【技術分野】
【０００１】
本発明は新しい独特のドリテノプシス蘭の品種に関し、以下この品種を「青山６０１」という名で呼ぶ。ドリテノプシス蘭属は蘭科の仲間である。
【背景技術】
【０００２】
「青山６０１」は、紫色の花と良好な植物構造を持つ新しい蘭の品種を作出することを目的とした計画交配プログラムの産物である。
【０００３】
この新しいドリテノプシス蘭は、２０００年２月に台湾省台中で発明者によりDtps. Sunrise Halobirdと呼ばれる登録されたドリテノプシス蘭雑種選抜を母本、または種子親とし、Dtps. Taisuco Fire Birdという登録されたドリテノプシス蘭雑種選抜を父本、または花粉親として交配し、作出されたものである。
【０００４】
この新しいドリテノプシス蘭は、台湾省台中の制御環境で上述の交配の産物のうちで発明者により顕花植物として発見かつ選抜された。この植物体の選抜はそのコンパクトな草性と紫色の花に基づいて行われた。
【０００５】
台湾省台中の制御環境での組織培養によるこの新しいドリテノプシス蘭の有性生殖は、この新しいドリテノプシス蘭の独特の特徴が安定しており、かつ代々忠実に再現されることが示されている。
【発明の開示】
【発明が解決しようとする課題】
【０００６】
本発明の目的は、紫色の花と良好な植物構造を持つ新しい蘭の品種「青山６０１」を提供することにある。
【課題を解決するための手段】
【０００７】
母株であるＳｕｎｒｉｓｅ Ｈｏｌｏｂｉｒｄのベルベット状の極濃暗赤色花と父株であるＴａｉｓｕｃｏ Ｆｉｒｅｂｉｒｄの光沢のある赤色花の親同士交雑を利用して受粉し、交配約4〜5ヶ月後、その子房がふくらんだ時、子房を採取でき、子房を摘み取った後で種子の繁殖を行い、まず子房を無菌操作台に置いて消毒し、綿で少量の７５％のアルコールに漬けて子房表面を拭き、次に子房の先端を切除して、子房を半分に割り、子房内の種子を取って０．６％の次亜塩素酸ナトリウム溶液のある消毒瓶内に入れ、約１０分間消毒した後、更に滅菌済み無菌水（冷却して予備）で種子を３回洗浄した後、滅菌済みガラスピペットで種子の水溶液（１〜２ｍｌ）を吸い取って蘭の播種用培地内に入れ、しっかりゴム栓を施し、約１ヶ月播種した後、マザーフラスコ内の種子が発芽を始め、更に２〜３ヶ月経過した後で葉や根が伸びだし、次にマザーフラスコ内の培養苗を培養ビン内に移植し、２〜３ヶ月培養した後、幼苗が更に大きく育った時に小フラスコに移植し、順化培養で３ヶ月後、フラスコ苗をピンセットでフラスコから取り出すことができる。水苔を植え込み材料とする１．７インチ鉢に蘭苗を植え、約３〜４ヶ月植えた時、蘭苗が中苗の大きさに生長すると、２．５インチ鉢に植え替え、更に３〜４ヶ月の時間が過ぎたら３．５インチ鉢に植え替えることができ、鉢を替えて更に４〜５ヶ月育成し、この時の苗はすでに成熟状態に達し成株となると、苗を低温状態（開花温室）に置き、苗を抽台期に入るよう刺激させ、その期間が約３〜４ヶ月で、開花促進効果を達して開花株となることができる。
一般的な繁殖の多くはこの方法を利用し、大量の種子を発生させることで比較的多くの新苗を繁殖させることができるだけでなく、今日の全ての名高い種、名高い花でも、ほとんど有性繁殖の改良育種からなり、新個体の苗が増殖した後、交雑により結実した種子が繁殖した後代種子の変異が比較的大きく、生まれてくる子世代が親世代及び前回交配して出た子苗と異なることで、極めて多くの変化があるため、その中から最も優良な苗の個体を選抜して、無性繁殖を行い、花柄部位の高芽を取り大量に同じ個体の蘭苗を増殖させることで、生じた新個体が完全に親個体と同じになることができる。
次の特性が繰り返し観察されており、それらが「青山６０１」の基礎的な特性であると確定している。これら特性の組み合わせにより、この蘭は新しい栽培品種として区別される：
花の色が紫色である；
他のほとんどのドリテノプシス蘭の栽培品種とは対照的に植物体が１つ以上の花序を作る；
花序が長く、頑健である；
比較的大きく、深い緑色の葉；
自由開花、総状花序当たり約１１〜１５の花と花芽；
優れた花の寿命、植物体上で約１０週間持つ；
良好な構造のため、取り扱いやすく、出荷用梱包がしやすい；そして、
組織培養を用いて経済的かつ一様に繁殖できる。
【０００８】
「青山６０１」は、あらゆる可能な環境条件で観察されていない。表現型は温度、日の長さ、光の強度、施肥および水などが異なる環境に応じて遺伝子型中での相違なく多少変化する場合がある。以下の観察および測定値は、台湾省台中で商慣行において一般に用いられる条件に近づけた条件下で成長させた植物体を描写している。
【０００９】
現在、「青山６０１」を有意義に比較することができる商用品種はない。
【発明を実施するための最良の形態】
【００１０】
起源：選抜された、但し不特定の親の交配からの実生。
類別：ドリテノプシス蘭雑種栽培品種「青山６０１」。
繁殖：組織培養による実生繁殖。
【００１１】
植物体の詳細
形式：大きい茎
土面から葉面上面までの植物体の高さ：約５０〜６０cm。
土面から花序最上部までの植物体の高さ：約６５〜８０cm。
植物体直径：約２５〜３０cm。
茎当たりの花の数：およそ８〜１８。
【００１２】
葉の詳細
数量 １本当たり：約５〜６枚。
葉の長さ：約１５〜１８cm。
葉の幅：約８〜１０cm。
形状：楕円状
頂部：尖形および円鋸歯状
基部：柱状
辺縁：裏側の縁が暗褐色
角度：長楕円かつ開花約４５度
テクスチャ、上面および下面：青々とした葉身、垂直に立ち、しっかりしている、裏側の縁が暗褐色
色- 上面-１３７A
下面- １３７C
【００１３】
花の詳細
花のタイプおよび習性-紫色、ペタル周囲に赤と白、白い縁取り、深紅の唇弁、正面配列、開花期間が長い。
花茎、直立、自由分岐かつ頑健。植物体は自由に開花；植物体は通常１〜３本の枝分かれしたそれぞれ少なくとも１１〜１５の花を付ける茎を形成する。
花は香りなし。
自然開花期：台湾で１月〜５月。 
生産後寿命：「青山６０１」の植物体は、室内環境条件下の植物体上で良好な葉と花の個体を約４〜５ヶ月間維持する。
花序長さ：約４５〜５５cm。
花序直径：約１８〜２０cm。
花直径：約９〜１１cm。
【００１４】
ペタル
数量：花一輪につき２枚。
長さ：約６cm。
直径：約５cm。
形状：楕円状
頂部：楕円状
基部：横方向V型
辺縁：楕円状
テクスチャ、上面および下面：楕円状、深紅、赤と白。
色-ペタル 地色- ７９C
ペタル模様色- ７９C
【００１５】
唇弁
長さ：約１．８cm。
直径：約２．５cm。
形状：楕円形
色-中央裂片 基部 色- ７９C
中央裂片先 色- ７１A
【００１６】
萼片
数量：花一輪につき３片。
長さ：約５cm。
直径：約４cm。
形状：楕円状
頂部：楕円状
基部：楕円状
辺縁：辺縁に葉脈
テクスチャ、上面および下面：楕円状、深紅、辺縁部が薄い白
色-背萼片地色- ７９C
背萼片柄色- ７９C
側萼片地色- ７７A
側萼片柄色- ７７A
【００１７】
花柄
長さ：約７０〜８０cm。
直径：約１０mm。
角度：直立
強度：頑強
テクスチャ：非常に頑強
色- ２００A
【００１８】
小花柄
長さ：約４．５cm。
直径：約４mm。
角度：垂直から約６０度。
強度：頑健 
テクスチャ：頑健
色-７１B
基部にかけての色- 77D
【００１９】
生殖器- 子房
ずい柱
長さ：約１cm。
直径：約８mm。
色- N８１B 
頂部にかけての色 - N８１B 
花粉塊
花粉塊の数量：２。
直径：約１mm。
色-２４A
【００２０】
子房
長さ：約４５mm。
直径：約５mm。
色- １３９C
【００２１】
根
直径：約８mm。
色-２０２C
【００２２】
植物体の病害抵抗性/感染性
頑健、病害に強い
【００２３】
温度許容度
１５度〜３５度
【００２４】
母株：Ｓｕｎｒｉｓｅ Ｈｏｌｏｂｉｒｄのベルベット状の極濃暗赤色花
父株：Ｔａｉｓｕｃｏ Ｆｉｒｅｂｉｒｄの光沢のある赤色花
親同士交雑受粉→子房→種子繁殖→消毒→洗浄→種子の水溶液の吸い取り→蘭の培地→  播種→発芽→葉と根の伸び→培養苗(培養ビン)→幼苗(小フラスコ)→順化培養→フラスコ苗→苗→抽台→開花促進→開花株
【００２５】
改良の説明：
母本：Sunrise Holobirdは花が絨毛性の赤色（中国語：絨紅）で、花の辺縁に沿って白くぼかしが入っており、色のコントラストに優れ、花径は１０cmである（花梗がやや軟らかくて折れやすく、植物体は煤紋病に感染しやすい等がその欠点である）。
父本：Taisuco Firebird、花は正面配列で整っており、目立たない線の入った光沢性の赤色（中国語：澤紅）花で、植物体は病害抵抗性に優れ、主梗の花房は約8輪、分岐しやすい。
改良を経た601の花は色が鮮やかな赤色で、花の辺縁に沿ってより幅広くより白いぼかしが入っており、日光が強ければ強いほど色がより鮮やかになり、コントラストがよりはっきりとする。植物体の病害抵抗性が優れており、煤紋病がなく、花梗もやや硬く、花の数が多く、テクスチャが厚く、開花が長持ちし、その父母本の諸々の利点を受け継いでおり、現在赤色品種中の最高品である。
【図面の簡単な説明】
【００２６】
写真の色はより正確に新しい品種について描写する詳細な植物学的記述に示される明度とは異なる場合がある。
【図１】１５cmの鉢で開花した「青山６０１」植物体の側面図である。
【図２】花の特徴を示す拡大図である。
【図３】葉の特徴を示す拡大図である。
【図４】「青山６０１」ドリテノプシス蘭の育成方法フローチャート。
【図４】
2009284815.tif 000003
【図１】
2009284815.tif 000004
【図２】
2009284815.tif 000005
【図３】
2009284815.tif 000006